(57)【要約】      （修正有）【課題】絶縁テープを用いなくても沿面距離を大きくできる巻線部品を提供する。【解決手段】トランス80は、主容器20aと蓋容器50aの内部に貫通孔を有し、貫通孔の周りに第一、第二の巻線23a、24aが配置され、Ｅ字型コア70aの中央軸が貫通孔内に位置する。第一、第二の巻線23a、24aは、片面に天板51aが配置され、第一の巻線23aの反対側の面に第一の底板25aが配置され、第二の巻線24aの反対側の面に第二の底板26aが配置され空芯部分に第一の容器側内筒部29aと蓋側内筒部53aが配置される。第一の巻線23aの外周と第二の巻線24aの内周との間に第二の容器側内筒部30aと蓋側外筒部54aは配置され、第二の巻線24aの外周に第二の容器側外筒部32aと蓋側最外筒部55aとが配置される。【選択図】図９
2010245453.tif 000002
【特許請求の範囲】
【請求項１】
貫通孔を有する状態で嵌合された第一の分割容器と蓋容器の内部に、前記貫通孔が内周に位置するように一の巻線が配置され、
閉曲線の磁路が形成される環状部分を有するコアの、前記環状部分の一部が前記貫通孔内に位置する巻線部品であって、
前記第一の分割容器は、
第一の底板と、
前記第一の底板に形成された第一の容器側開口と、
前記第一の容器側開口を取り囲むように前記第一の底板上に立設された筒状の第一の容器側内筒部と、
前記第一の容器側内筒部を離間して取り囲むように前記第一の底板上に立設された筒状の第一の容器側外筒部とを有し、
前記蓋容器は、
天板と、
前記天板に形成された蓋側開口と、
前記蓋側開口を取り囲むように前記天板上に立設された筒状の蓋側内筒部と、
前記蓋側内筒部を離間して取り囲むように前記天板上に立設された蓋側外筒部とを有し、
前記第一の巻線は、帯状導線が巻き回されて構成され、片面に前記天板が配置され、反対側の面に前記第一の底板が配置され、内周である空芯部分に前記第一の容器側内筒部と前記蓋側内筒部が配置されて前記貫通孔を形成し、外周に前記第一の容器側外筒部と前記蓋側外筒部が配置された巻線部品。
【請求項２】
前記第一の容器側外筒部は切り欠きを有し、
前記第一の巻線の両端は、前記切り欠きから、前記第一の容器側外筒部分の外部に導出され、
前記コアは、前記第一の巻線と絶縁される最小距離よりも大きく離間された請求項１記載の巻線部品。
【請求項３】
貫通孔を有する状態で嵌合された主容器と蓋容器の内部に、前記貫通孔が内周に位置するように第一、第二の巻線が配置され、
コアの環状部分の一部が前記貫通孔内に位置する巻線部品であって、
前記主容器は、
第一の底板と、
前記第一の底板に形成された第一の容器側開口と、
前記第一の容器側開口を取り囲むように前記第一の底板上に立設された筒状の第一の容器側内筒部と、
前記第一の底板の外側に配置された第二の底板と、
前記第二の底板に形成され、前記第一の容器側内筒部を離間して取り囲むように形成された第二の容器側内筒部と、
前記第二の底板に形成され、前記第二の容器側内筒部を離間して取り囲むように形成された第二の容器側外筒部とを有し、
前記蓋容器は、
天板と、
前記天板に形成された蓋側開口と、
前記蓋側開口を取り囲むように前記天板上に立設された筒状の蓋側内筒部と、
前記蓋側内筒部を離間して取り囲むように前記天板上に立設された蓋側外筒部と、
前記蓋側外筒部を離間して取り囲むように前記天板上に立設された蓋側最外筒部とを有し
前記第一、第二の巻線は、それぞれ帯状導線が巻き回されて構成され、片面に前記天板が配置され、前記第一の巻線の反対側の面に前記第一の底板が配置され、前記第二の巻線の反対側の面に前記第二の底板が配置され、前記第一の巻線の内周である空芯部分に前記第一の容器側内筒部と前記蓋側内筒部が配置されて前記貫通孔を形成し、前記第一の巻線の外周と前記第二の巻線の内周との間に前記第二の容器側内筒部と前記蓋側外筒部が配置され、前記第二の巻線の外周に、前記第二の容器側外筒部と前記蓋側最外筒部とが配置された巻線部品。
【請求項４】
前記第一、第二の容器側外筒部はそれぞれ切り欠きを有し、
前記コアは、前記各切り欠きから設定距離よりも大きく離間され、
前記第一、第二の巻線の両端は、前記第一、第二の容器側外筒部の切り欠きから、前記第一、第二の容器側外筒部の外部に導出された請求項３記載の巻線部品。
【請求項５】
前記第一の底板と、前記第一の容器側内筒部と、前記第一の容器側外筒部を有する第一の分割容器と、
前記第二の底板と、前記第二の容器側内筒部と、前記第二の容器側外筒部を有する第二の分割容器とは、分離可能に構成された請求項４記載の巻線部品。
【発明の詳細な説明】
【技術分野】
【０００１】
本発明は巻線を用いる巻線部品の技術分野にかかり、特に、高電圧が用いられる電源に用いられる巻線部品の分野に関する。
【背景技術】
【０００２】
従来の巻線コイルは、ボビン等の周りに単線が巻回されて構成されている。
従来の巻線コイルの幅、奥行、高さでは、液晶テレビ等の薄型化した電子機器用電源回路に取り付けるのが困難であり、平面板構造の巻線コイルが要求されている。
下記文献に記載されているように、巻線コイル自体の占積率または体積を、従来よりも小さなものとすることが行われている。しかし、沿面距離が容器の厚みとなり、短いため、絶縁性接着テープ等を貼って、沿面距離を大きくする必要がある。
【先行技術文献】
【特許文献】
【０００３】
【特許文献１】実開平７−３１２５号
【特許文献２】特開平１０−１２５５４５号
【発明の概要】
【０００４】
切り欠きとコアとの距離の設定値は、絶縁に必要な沿面距離であり、切り欠きとコアとの間は設定値以上の距離にされているので、切り欠きから露出する第一、第二の巻線や、第一、第二の巻線から引き出された帯状導線とコアとの間に絶縁破壊は発生しない。
【発明が解決しようとする課題】
【０００５】
絶縁テープを用いなくても沿面距離を大きくすることができる。
【課題を解決するための手段】
【０００６】
上記課題を解決するため、本発明は、貫通孔を有する状態で嵌合された第一の分割容器と蓋容器の内部に、前記貫通孔が内周に位置するように一の巻線が配置され、閉曲線の磁路が形成される環状部分を有するコアの、前記環状部分の一部が前記貫通孔内に位置する巻線部品であって、前記第一の分割容器は、第一の底板と、前記第一の底板に形成された第一の容器側開口と、前記第一の容器側開口を取り囲むように前記第一の底板上に立設された筒状の第一の容器側内筒部と、前記第一の容器側内筒部を離間して取り囲むように前記第一の底板上に立設された筒状の第一の容器側外筒部とを有し、前記蓋容器は、天板と、前記天板に形成された蓋側開口と、前記蓋側開口を取り囲むように前記天板上に立設された筒状の蓋側内筒部と、前記蓋側内筒部を離間して取り囲むように前記天板上に立設された蓋側外筒部とを有し、前記第一の巻線は、帯状導線が巻き回されて構成され、片面に前記天板が配置され、反対側の面に前記第一の底板が配置され、内周である空芯部分に前記第一の容器側内筒部と前記蓋側内筒部が配置されて前記貫通孔を形成し、外周に前記第一の容器側外筒部と前記蓋側外筒部が配置された巻線部品である。
本発明は、前記第一の容器側外筒部は切り欠きを有し、前記第一の巻線の両端は、前記切り欠きから、前記第一の容器側外筒部分の外部に導出され、前記コアは、前記第一の巻線と絶縁される最小距離よりも大きく離間された巻線部品である。
本発明は、貫通孔を有する状態で嵌合された主容器と蓋容器の内部に、前記貫通孔が内周に位置するように第一、第二の巻線が配置され、コアの環状部分の一部が前記貫通孔内に位置する巻線部品であって、前記主容器は、第一の底板と、前記第一の底板に形成された第一の容器側開口と、前記第一の容器側開口を取り囲むように前記第一の底板上に立設された筒状の第一の容器側内筒部と、前記第一の底板の外側に配置された第二の底板と、前記第二の底板に形成され、前記第一の容器側内筒部を離間して取り囲むように形成された第二の容器側内筒部と、前記第二の底板に形成され、前記第二の容器側内筒部を離間して取り囲むように形成された第二の容器側外筒部とを有し、前記蓋容器は、天板と、前記天板に形成された蓋側開口と、前記蓋側開口を取り囲むように前記天板上に立設された筒状の蓋側内筒部と、前記蓋側内筒部を離間して取り囲むように前記天板上に立設された蓋側外筒部と、前記蓋側外筒部を離間して取り囲むように前記天板上に立設された蓋側最外筒部とを有し前記第一、第二の巻線は、それぞれ帯状導線が巻き回されて構成され、片面に前記天板が配置され、前記第一の巻線の反対側の面に前記第一の底板が配置され、前記第二の巻線の反対側の面に前記第二の底板が配置され、前記第一の巻線の内周である空芯部分に前記第一の容器側内筒部と前記蓋側内筒部が配置されて前記貫通孔を形成し、前記第一の巻線の外周と前記第二の巻線の内周との間に前記第二の容器側内筒部と前記蓋側外筒部が配置され、前記第二の巻線の外周に、前記第二の容器側外筒部と前記蓋側最外筒部とが配置された巻線部品である。
本発明は、前記第一、第二の容器側外筒部はそれぞれ切り欠きを有し、前記コアは、前記各切り欠きから設定距離よりも大きく離間され、前記第一、第二の巻線の両端は、前記第一、第二の容器側外筒部の切り欠きから、前記第一、第二の容器側外筒部の外部に導出された巻線部品である。
本発明は、前記第一の底板と、前記第一の容器側内筒部と、前記第一の容器側外筒部を有する第一の分割容器と、前記第二の底板と、前記第二の容器側内筒部と、前記第二の容器側外筒部を有する第二の分割容器とは、分離可能に構成された巻線部品である。
【発明の効果】
【０００７】
コアと巻線間の沿面距離や巻線間の沿面距離が蓋側から伸びる筒部と底板から伸びる筒部の重なり距離以上になるので、絶縁テープを用いなくてもよい。
【図面の簡単な説明】
【０００８】
【図１】本発明で用いられる中空コイルの斜視図
【図２】巻芯に巻き回された帯状導線を説明するための図
【図３】帯状導線を形成した単線の斜視図
【図４】単線から帯状導線を形成する方法を説明するための図
【図５】単線から形成された帯状導線の斜視図
【図６】帯状導線を形成する導体膜の斜視図
【図７】両面に切れ目を入れられた導体膜の斜視図
【図８】導体膜から形成される帯状導線の斜視図
【図９】（ａ）：本発明のトランスの斜視図  （ｂ）：本発明のトランスのＡ−Ａ線截断面図  （ｃ）：本発明のトランスのＢ−Ｂ線截断面図
【図１０】（ａ）〜（ｃ）：本発明のトランスの解体図（ａ）：蓋容器とＥ字形コアの斜視図  （ｂ）：第二の分割器と第二の巻線の斜視図  （ｃ）：Ｅ字形コアと、第一の分割容器と、第一の巻線の斜視図
【図１１】主容器と蓋容器で包み込まれた嵌合体の斜視図
【図１２】Ｅ字型コアの斜視図
【図１３】二個のＥ字型コアから成る「８」字型に形成されるコアの断面図
【図１４】一個のＥ字型コアと、Ｉ字型コアから成る「８」字型に形成されるコアの断面図
【図１５】本発明のトランスの他の例の断面図
【図１６】（ａ）：本発明のチョークコイルの斜視図（ｂ）：本発明のチョークコイルのＡ−Ａ線截断面図  （ｃ）：本発明のチョークコイルのＢ−Ｂ線截断面図
【図１７】（ａ）〜（ｃ）：本発明のチョークコイルの解体図（ａ）：蓋容器とＥ字形コアの斜視図  （ｂ）：第一の巻線の斜視図  （ｃ）：Ｅ字形コアと第一の分割容器の斜視図
【発明を実施するための形態】
【０００９】
＜コイル＞
先ず、本発明に用いるコイルについて説明する。
図１の符号５は、本発明に用いるチョークコイルや、一次巻線又は二次巻線を構成するコイルである。
このコイル５は、図２に示すような、厚みよりも幅が広く、幅も厚みも一定値である帯状導線１０が、巻芯７を中心に巻き回されて形成されている。巻き回された帯状導線１０の幅広表面は、巻芯７側とそれとは反対側の外方向に向けられて巻き回されている。
巻き回された帯状導線１０から巻芯７が取り外されると、中空のコイル５が形成される。このコイル５は輪状であり、その厚みは幅広導線の幅である。
この帯状導線１０は、単線から形成する方法と、導体膜から形成する方法がある。
【００１０】
図３に示すような、中心に導体である芯線８が位置し、芯線８の周囲に絶縁性を有する接着剤層９が配置された単線６を用いて形成する場合、複数の単線の側面を密着させて平面状に配置し(図４)、単線６が互いに圧縮される方向に押圧しながら加熱し、単線６の芯線８の外周の接着剤層９を溶融・固化させると、隣接する単線６同士が融着し、幅広の帯状導線１０が形成される(図５)。
形成された帯状導線１０の表面には、一端溶融し、固化した接着剤層９が絶縁層として配置されており、コイル５を形成する際の帯状導線１０同士の間に、絶縁性を有するようにされている。
帯状導線１０の端部では、帯状導線１０を構成する複数本の芯線８が露出されており、各芯線８に同じ電圧を印加すると、帯状導線１０が一本の導線となって電流が流れる。
帯状導線１０のコイル５に高周波電圧が印加される場合は、高周波電流は、帯状導線１０の中の芯線８表面を流れるため、帯状導線１０の表面積は大きいことが望ましい。
このコイル５では、融着した複数の単線６の芯線８の表面積を合計した値が帯状導線１０の導体の表面積となるから、高周波電流に対して低抵抗になる。
【００１１】
次に、図６に示すような導体膜１１から帯状導線１０を形成する場合、導体膜１１の両面に切れ目を入れた導体膜１２（図７）の周囲に絶縁性物質の溶液を塗布し、絶縁膜１３を形成すると、導体の表面積が大きい帯状導線１５が得られる（図８)。
上記帯状導線１０、１５に対し、従来のコイルのように、単線６をボビンに巻き回した場合、巻き回された一本の単線６のうち、巻数が大きく異なる部分が隣接して接触してしまい、その間の電位差が大きくなるため、絶縁破壊の問題が生じる。
帯状導線１０、１５を巻き回したコイル５では、帯状導線１０、１５のうち、コイル５中で接触するのは、巻数が一回だけ異なる部分であるから、電位差は小さく、絶縁破壊が生じる虞が小さい。
【００１２】
＜容器＞
図９（ａ）は、本発明の巻線部品に含まれるトランス８０の斜視図であり、図９(ｂ)はそのＡ−Ａ線截断面図、同図(ｃ)は、Ｂ−Ｂ線截断面図である。
トランス８０の解体図を図１０（ａ）〜（ｃ）に示す。
各図９〜１０を参照し、このトランス８０は、図１に示したコイル５を用いた第一、第二の巻線２３ａ、２４ａと、第一、第二の巻線２３ａ、２４ａを収容する主容器２０ａと、主容器２０ａの蓋となる蓋容器５０ａとを有している。
第一、第二の巻線２３ａ、２４ａは、一方が一次巻線であり他方が二次巻線であり、また、一方が小径であり、他方が大径であり、一方が他方の内周の内側に配置されるようになっている。
ここでは第一の巻線２３ａが小径で、第二の巻線２４ａが大径である。
主容器２０ａは第一の分割容器２１ａと第二の分割容器２２ａに分割・分離可能に構成されており、第一の分割容器２１ａが小径で第二の分割容器２２ａが大径であり、後述するように、第一の分割容器２１ａが第二の分割容器２２ａの内側に嵌合可能であるように構成されている。
【００１３】
第一、第二の分割容器２１ａ、２２ａは、それぞれ第一、第二の底板２５ａ、２６ａを有しており、第一、第二の底板２５ａ、２６ａには、第一、第二の底板２５ａ、２６ａを厚み方向に貫通する第一、第二の容器側開口２７ａ、２８ａが形成されている。
第一、第二の底板２５ａ、２６ａの表面上には、第一、第二の容器側開口２７ａ、２８ａをそれぞれ取り囲むように、筒状の第一、二の容器側内筒部２９ａ、３０ａが立設されており、第一、第二の底板２５ａ、２６ａの縁の位置の第一、第二の底板２５ａ、２６ａの表面上には、第一、第二の容器側内筒部２９ａ、３０ａを離間して取り囲むように、第一、第二の容器側外筒部３１ａ、３２ａが、第一、第二の容器側内筒部２９ａ、３０ａと同方向に立設されている。第一、二の容器側内筒部２９ａ、３０ａと第一、第二の容器側外筒部３１ａ、３２ａの下端は、全周が第一、第二の底板２５ａ、２６ａにそれぞれ接続されている。
【００１４】
第一、第二の容器側内筒部２９ａ、３０ａの大きさは、第一、第二の巻線２３ａ、２４ａの内周よりもそれぞれ小さく形成されており、第一、第二の容器側外筒部３１ａ、３２ａの大きさは、第一、第二の巻線２３ａ、２４ａの外周よりもそれぞれ大きく形成されている。従って、第一、第二の巻線２３ａ、２４ａは、帯状導線１０が巻き回された中心である空芯部分３７ａ、３８ａに、第一、第二の容器側内筒部２９ａ、３０ａを挿入でき、挿入されると、第一、第二の巻線２３ａ、２４ａは、第一、第二の容器側内筒部２９ａ、３０ａと第一、第二の容器側外筒部３１ａ、３２ａの間に配置される。この状態では、第一、第二の巻線２３ａ、２４ａは、第一、第二の分割容器２１ａ、２２ａに収容されている。
第一、第二の底板２５ａ、２６ａは、第一、第二の底板２５ａ、２６ａが伸びる方向と同方向に一部が伸ばされており、第一、第二の容器側外筒部３１ａ、３２ａよりもそれぞれ外側に突き出され、突き出された部分で第一、第二の延設部３３ａ、３４ａが形成されている。
【００１５】
第一、第二の延設部３３ａ、３４ａは、第一、第二の延設部３３ａ、３４ａの先端に、二個以上の端子４０ａがそれぞれ設けられている。
第一、第二の延設部３３ａ、３４ａの根本位置上の、第一、第二の容器側外筒部３１ａ、３２ａには、第一、第二の切り欠き３５ａ、３６ａがそれぞれ設けられている。第一、第二の巻線２３ａ、２４ａを第一、第二の分割容器２１ａ、２２ａに収容する際に、第一、第二の巻線２３ａ、２４ａの両端が引き出され、第一、第二の切り欠き３５ａ、３６ａを通して第一、第二の容器側外筒部３１ａ、３２ａの外側に導出され、第一、第二の延設部３３ａ、３４ａ上に敷設され、第一、第二の延設部３３ａ、３４ａ上の異なる端子４０ａに接続されている。
第一の容器側外筒部３１ａは、第二の容器側内筒部３０ａと第二の容器側開口２８ａよりも小さくされており、第一の延設部３３ａは、第二の分割容器２２ａの幅（第二の容器側開口２８ａの縁と第二の底板２６ａの縁との間の距離）よりも長くされている。
【００１６】
従って、第一の延設部３３ａの端子４０ａは、第一の分割容器２１ａを第二の容器側開口２８ａ内に収容する際に障害にならず、第一の分割容器２１ａ内に第一の巻線２３ａが収容され、第一の巻線２３ａの両端が第一の延設部３３ａの端子４０ａに接続された状態で、第一、第二の分割容器２１ａ、２２ａの各内外筒部２９ａ〜３２ａの立設方向を一致させ、第二の分割容器２２ａが第一の延設部３３ａ上に乗るようにして、第一の分割容器２１ａを第二の容器側内筒部３０ａ内に挿入すると、第一、第二の分割容器２１ａ、２２ａは嵌合し、主容器２０ａが形成される。
このとき、第一の延設部３３ａ上に敷設された第一の巻線２３ａの引出部分は、第一の延設部３３ａと第二の底板２６ａに挟まれる。
第二の巻線２４ａは、嵌合前又は嵌合後に第二の分割容器２２ａ内に収容されており、第二の巻線２４ａの両端は第二の容器側外筒部３２ａの第二の切り欠き３６ａから第二の容器側外筒部３２ａの外部に引き出され、第二の延設部３４ａ上の異なる端子４０ａにそれぞれ接続されている。
このように第一、第二の分割容器２１ａ、２２ａが嵌合された状態の主容器２０ａでは、表面には第一、第二の巻線２３ａ、２４ａが露出し、その反対側の裏面には第一、第二の底板２５ａ、２６ａが露出しており、第一の容器側開口２７ａによって、主容器２０ａの表面側と裏面側は接続されている。
【００１７】
次に、蓋容器５０ａを説明すると、蓋容器５０ａは天板５１ａを有しており、天板５１ａには、天板５１ａを厚み方向に貫通する蓋側開口５２ａが形成されている。
天板５１ａの表面上には、蓋側開口５２ａを取り囲むように、筒状の蓋側内筒部５３ａが立設されており、また、蓋側内筒部５３ａを離間して取り囲むように、筒状の蓋側外筒部５４ａが、天板５１ａの表面上に、蓋側内筒部５３ａと同方向に立設されている。蓋側内筒部５３ａと蓋側外筒部５４ａの下端部は、全周が天板５１ａに接続されている。
蓋側外筒部５４ａの外側には、蓋側外筒部５４ａを離間して取り囲むように、筒状の蓋側最外筒部５５ａが、天板５１ａの表面上に、蓋側内筒部５３ａ及び蓋側外筒部５４ａと同方向に立設されている。
蓋側内筒部５３ａは、第一の容器側内筒部２９ａよりも小さく形成され、蓋側外筒部５４ａは、第一の容器側外筒部３１ａよりも大きく、且つ、第二の容器側内筒部３０ａよりも小さく形成されており、また、蓋側最外筒部５５ａは第二の容器側外筒部３２ａよりも大きく形成されている。
【００１８】
主容器２０ａにされた状態の第一、第二の分割容器２１ａ、２２ａでは、第一の容器側外筒部３１ａと第二の容器側内筒部３０ａの間に隙間が形成されており、蓋容器５０ａの各筒部５３ａ〜５５ａの上端を主容器２０ａの第一、第二の巻線２３ａ、２４ａが露出した面に向け、蓋側内筒部５３ａを第一の容器側内筒部２９ａの内側に挿入し、蓋側外筒部５４ａを第一の容器側外筒部３１ａの外周面と第二の容器側内筒部３０ａの内周面の間に挿入し、蓋側最外筒部５５ａを、第二の容器側外筒部３２ａの外側に位置させると、蓋容器５０ａは主容器２０ａに嵌合され、第一、第二の巻線２３ａ、２４ａが、主容器２０ａと蓋容器５０ａで包み込まれた嵌合体６０が形成される（図１１）。
この嵌合体６０では、ここでは蓋側内筒部５３ａ(他の例では第一の容器側内筒部２９ａ)を内周面とする貫通孔（嵌合体開口６１）が形成されている。
【００１９】
第一の分割容器２１ａと第二の分割容器２２ａが嵌合される際、第一、第二の延設部３３ａ、３４ａは、貫通孔（嵌合体開口６１）を中心にして互いに反対方向に伸びるように第一、第二の分割容器２１ａ、２２ａが配置されており、貫通孔（嵌合体開口６１）を中心とする互いに反対位置で蓋側最外筒部５５ａよりも外側に突出している。第一、第二の延設部３３ａ、３４ａの端子４０ａは、突出した部分に配置されている。
端子４０ａは第一、第二の延設部３３ａ、３４ａを貫通し、各筒部２９ａ〜３２ａが伸びる表面側と、第一、第二の底板２５ａ、２６ａが露出する裏面側に露出しており、端子４０ａの表面側に、第一、第二の巻線２３ａ、２４ａから引き出された帯状導線１０が接続されている。端子４０ａの裏面側は、このトランス８０が回路基板に搭載される際に、回路基板の配線に接続される。
天板５１ａは、第一、第二の延設部３３ａ、３４ａが伸びる方向と同方向に膨出され、天板５１ａ上に立設された蓋側最外筒部５５ａは、第一、第二の延設部３３ａ、３４ａ表面上の端子４０ａを取り囲んでおり、天板５１ａ側では、第一、第二の巻線２３ａ、２４ａは表面側の端子４０ａを含めて露出せず、回路基板に搭載された際に、回路基板の天板５１ａ側での短絡事故が発生しないようになっている。
【００２０】
＜コア＞
次に、本発明の巻線部品(トランス８０又はコイル５）に用いるコア７９ａを説明する。
本発明に用いるコア７９ａは、コア７９ａ内を通る磁力線が閉曲線の磁路を形成できる環状部分を有している。
図１２のＥ字型コア７０ａは、二個以上を組み合わせて環状部分を形成する分離コアの一例である。図１３は、図１２のＥ字型コア７０ａ二個を組み合わせて環状部分を形成したコア７９ａの断面図である。Ｅ字型コア７０ａは、一本の第一の外周軸７１ａを有しており、この第一の外周軸７１ａの両端と中央からは、第一の外周軸７１ａに接続された二本の端軸７２ａと一本の中央軸７３ａがそれぞれ同方向に伸ばされている。
Ｅ字型コア７０ａの端軸７２ａと中央軸７３ａとの間の距離は、主容器２０ａと蓋容器５０ａの嵌合体６０の貫通孔（嵌合体開口６１）と、嵌合体６０の端子４０ａが位置しない縁との間の距離よりも大きく形成されており、端軸７２ａを端子４０ａが位置しない部分の蓋側最外筒部５５ａの外側にむけ、二個のＥ字型コア７０ａの中央軸７３ａを貫通孔（嵌合体開口６１）に挿入し、貫通孔（嵌合体開口６１）内で接触させて共通軸７４ａを形成すると共に、端軸７２ａ同士を蓋側最外筒部５５ａの外側で接触させて第二の外周軸７５ａを形成すると、共通軸７４ａと第一、第二の外周軸７１ａ、７５ａとで構成される二個の環状部分が共通軸７４ａを共通にして「８」字型に形成されるコア７９ａが得られる。
【００２１】
二個のＥ字型コア７０ａではなく、一個のＥ字型コア７０ｂと、第一の外周軸７１ｂから成るＩ字型コア７６を用いる場合、同様にＥ字型コア７０ｂの端軸７２ｂを蓋側最外筒部５５ａの端子４０ａが位置しない部分の外側に向け、中央軸７３ｂを貫通孔（嵌合体開口６１）の一方から挿入して先端を貫通孔（嵌合体開口６１）の他方の側に突出させ、中央軸７３ｂ先端をＩ字型コア７６に接触させて共通軸７４ｂを形成すると共に、端軸７２ｂは蓋側最外筒部５５ａの外側でＩ字型コア７６に接触させて第二の外周軸７５ｂを形成すると、二個のＥ字型コア７０ａを用いた場合と同様に、共通軸７４ｂと第一、第二の外周軸７１ｂ、７５ｂとで構成される二個の環状部分が「８」字型に形成されるコア７９ｂが得られる（図１４）。
【００２２】
＜トランス＞
「８」字型のコア７９ａでは、共通軸７４ａは第一、第二の巻線２３ａ、２４ａの空芯３７ａ、３８ａ内に共通に配置されており、第一、第二の巻線２３ａ、２４ａのうち、一次側巻線に交流電流が流れると、共通軸７４ａ内に磁力線が発生する。
発生した磁力線は、コア７９ａの環状部分を通って閉ループを形成し、その磁力線の変化によって二次側巻線に交流電流が誘起される。ここでは第一の巻線２３ａが一次巻線、第二の巻線２４ａが二次巻線である。
【００２３】
＜沿面距離＞
内部に第一の巻線２３ａが配置され、主容器２０ａと蓋容器５０ａが嵌合している嵌合体６０では、第一の巻線２３ａと共通軸７４ａの間に、第一の容器側内筒部２９ａと蓋側内筒部５３ａが配置されている。第一の容器側内筒部２９ａと蓋側内筒部５３ａは互いに逆方向に立設されており、それらの高さは、第一の容器側内筒部２９ａと蓋側内筒部５３ａとが重なる部分が存在する大きさにされており、その結果、第一の巻線２３ａと共通軸７４ａの間は、第一の容器側内筒部２９ａの厚みと、第一の容器側内筒部２９ａと蓋側内筒部５３ａとが重なった部分と、蓋側内筒部５３ａの厚みとを通って接続される。
従って、第一の巻線２３ａと共通軸７４ａとの間の沿面距離は、第一の容器側内筒部２９ａと蓋側内筒部５３ａとが重なった部分の筒部の高さ方向の距離(高さ方向重なり距離)よりも大きくなる(沿面距離は、筒部高さ方向の距離と、蓋側内筒部５３ａの厚みと、第一の容器側内筒部２９ａの厚みとを合計した距離になる)。
【００２４】
第一、第二の外周軸７１ａ、７５ａは、第一、第二の切り欠き３５ａ、３６ａから、必要な沿面距離よりも大きく離間する位置に配置されており、従って、第一、第二の巻線２３ａ、２４ａの第一、第二の切り欠き３５ａ、３６ａから露出する部分と第一、第二の外周軸７１ａ、７５ａとの間の沿面距離、及び第一、第二の延設部３３ａ、３４ａ上に敷設された帯状導線１０と第一、第二の外周軸７１ａ、７５ａとの間の沿面距離は、必要な沿面距離よりも大きい距離が離間されている。
従って、第一、第二の外周軸７１ａ、７５ａと、第一、第二の巻線２３ａ、２４ａとの間の沿面距離は、第一、第二の切り欠き３５ａ、３６ａを通らない経路で算出すればよい。
【００２５】
第一の巻線２３ａと第一、第二の外周軸７１ａ、７５ａとの間は、第一の容器側内外筒部２９ａ、３１ａの厚み方向と側面と第一の底板２５ａの厚み方向を通って接続されるため、その間の沿面距離は、第一の容器側内外筒部２９ａ、３１ａの高さよりも大きくなっている。
同様に、第二の巻線２４ａと第一の外周軸７１ａとの間は、第二の容器側内外筒部３０ａ、３２ａの側面を通る経路で算出し、沿面距離は、第二の容器側内筒部３０ａの高さや、蓋側最外筒部５５ａと第二の容器側外筒部３２ａとの高さ方向重なり距離よりも大きくなる。
第二の巻線２４ａと第二の外周軸７５ａとの間には、蓋側最外筒部５５ａと第二の容器側外筒部３２ａは互いに逆方向に立設されており、それらの高さは、蓋側最外筒部５５ａと第二の容器側外筒部３２ａが重なる部分が存在する大きさにされており、その結果、第二の巻線２４ａと第二の外周軸７５ａとの間は、第二の容器側外筒部３２ａの厚みと、蓋側最外筒部５５ａと第二の容器側外筒部３２ａが重なった部分と、蓋側最外筒部５５ａの厚みとを通って接続される。
従って、第二の巻線２４ａと第二の外周軸７５ａとの間の沿面距離は、蓋側最外筒部５５ａと第二の容器側外筒部３２ａの高さ方向重なり距離よりも大きくなる。
【００２６】
次に、第一、第二の巻線２３ａ、２４ａ間は、第一の切り欠き３５ａが位置する部分が小距離になり、その部分の第一、第二の巻線２３ａ、２４ａ間の沿面距離は、蓋側外筒部５４ａと第二の容器側内筒部３０ａの高さ方向重なり距離よりも大きくなる。
なお、第一の容器側内筒部２９ａと蓋側内外筒部５３ａ、５４ａには、沿面距離を大きくするために、切り欠きを設けることはできないが、第二の容器側内筒部３０ａには、第一の切り欠き３５ａと、第一、第二の外周軸７１ａ、７５ａとから必要な沿面距離以上に離間した位置に切り欠きを設けることができる。切り欠きが形成された部分の第一、第二の巻線２３ａ、２４ａ間の沿面距離は、第一の容器側外筒部３１ａと蓋側外筒部５４ａとの高さ方向重なり距離になる。
蓋側の各筒部５３ａ〜５５ａと容器側の各筒部２９ａ〜３２ａとの重なり距離は、筒部の厚みの数倍以上の大きさであり、高さ方向重なり距離を含む沿面距離は、絶縁のために必要な距離よりも大きくなるから、沿面距離が筒部厚みであった場合に絶縁テープが必要であっても、沿面距離が筒部の高さ方向重なり距離を含む場合は絶縁テープは不要となる。
【００２７】
なお、上記例では、主容器２０ａと蓋容器５０ａとを嵌合させる際に、蓋側内筒部５３ａが第一の容器側内筒部２９ａの内側に配置されていたが、蓋側内筒部５３ａは第一の巻線２３ａの内周面と第一の容器側内筒部２９ａの外周面の間に配置されても良く、同様に、蓋側最外筒部５５ａは、第二の巻線２４ａの外周面と第二の容器側外筒部３２ａの内周面の間に配置されてもよい。
蓋側外筒部５４ａは、第一の巻線２３ａの外周面と第一の容器側外筒部３１ａの内周面の間に配置されてもよく、又、第二の巻線２４ａの内周面と第二の容器側内筒部２９ａの外周面の間に配置されてもよい。
【００２８】
また、第一の容器側外筒部３１ａは、第一の底板２５ａ上に立設されていたが、図１５に示すように、第一の容器側外筒部３１ａは、第一の底板２５ａの外周を、全周に亘って外側に伸ばし、蓋側外筒部５４ａの先端を超えて延設されるようにしてもよい。
この場合は、第一の切り欠き３５ａは、第一の外周軸７１ａが位置しない部分に形成され、第一の巻線２３ａとコア７９ａの沿面距離は、延設された第一の容器側外筒部３１ａの第一の巻線２３ａ位置から先端までの距離になる。
【００２９】
なお、上述した第一、第二の容器側外筒部３１ａ、３２ａでは切り欠きは一カ所であったが、第一、第二の容器側外筒部３１ａ、３２ａには、コア７９ａが位置しない互いに反対側の部分に一カ所ずつ合計二カ所、それぞれの第一、第二の容器側外筒部３１ａ、３２ａに設けることができる。
なお、上述した第一、第二の分割容器２１ａ、２２ａは、第一、第二の底板２５ａ、２６ａや第一、第二の容器側内外筒部２９ａ〜３２ａが四角形であり、相対する二辺に第一、第二の延設部３３ａ、３４ａ上の端子４０ａが位置し、それと異なる二辺上に第二の外周軸７５ａが配置されている。
第一、第二の切り欠き３５ａ、３６ａの両側には、第一、第二の容器側外筒部３１ａ、３２ａの第一、第二の切り欠き３５ａ、３６ａが設けられた辺に位置する部分が残されており、その部分の長さが、必要な沿面距離より大きくなるようにされている。
【００３０】
＜チョークコイル＞
また、巻線が一個の巻線部品も本発明に含まれる。
図１６（ａ）は、本発明の巻線部品に含まれるのチョークコイル９０の斜視図であり、図１６(ｂ)はそのＡ−Ａ線截断面図、同図(ｃ)は、Ｂ−Ｂ線截断面図である。
チョークコイル９０の分解図を図１７（ａ）〜（ｃ）に示す。
図１６は、その一例のチョークコイル９０であり、巻線が一個の場合、上記実施例の第二の巻線２４ａと、第二の分割容器２２ａとを有さないトランス８０であり、第一の巻線２３ｃを第一の分割容器２１ｃに収め、蓋容器５０ｃを嵌合させてコアの環状部分の一部を貫通孔内（蓋側開口５２ｃ）に配置させ、磁力線の閉ループが形成され、インダクタンス素子として用いられる。
【００３１】
チョークコイル９０を簡単に説明すると、図１６〜１７に示すように、第一の底板２５ｃ上に立設され、第一の容器側開口２７ｃを取り囲む筒状の第一の容器側内筒部２９ｃと、その外側に第一の容器側内筒部２９ｃを囲んで立設された筒状の第一の容器側外筒部３１ｃとの間に第一の巻線２３ｃが第一の容器側開口２７ｃを中心に配置されており、第一の巻線２３ｃの上には天板５１ｃが配置され、天板５１ｃから立設される筒状の蓋側内筒部５３ｃと蓋側外筒部５４ｃが、それぞれ第一の容器側内筒部２９ｃの内側と第一の容器側外筒部３１ｃの外側に配置されている。
容器側内筒部２９ｃと蓋側外筒部５４ｃが互いに逆方向に伸びるようにされており、第一の底板２５ｃの膨出部分である第一の延設部３３ｃの先端は、第一の容器側外筒部３１ｃの外側に配置され、蓋側外筒部５４ｃの端子４０ｃが位置しない部分の位置にＥ字型コア７０ｃの第二の外周軸７５ｃが配置されており、第一の巻線２３ｃとＥ字型コア７０ｃとの沿面距離は、第一の容器側内外筒部２９ｃ、３１ｃと蓋側内外筒部５３ｃ、５４ｃとの重なり距離以上に大きなっている。
この場合も、蓋側内筒部５３ｃは、第一の容器側内筒部２９ｃと第一の巻線２３ｃの内周面の間に配置してもよいし、蓋側外筒部５４ｃは、第一の容器側内筒部２９ｃと第一の巻線２３ｃの外周面の間に位置させてもよい。
【符号の説明】
【００３２】
５……コイル    １０……帯状導線    ２０ａ……主容器    ２１ａ、２１ｃ……第一の分割容器      ２２ａ……第二の分割容器    ２３ａ、２３ｃ……第一の巻線    ２４ａ……第二の巻線    ２５ａ……第一の底板    ２６ａ……第二の底板    ２７ａ、２７ｃ……第一の容器側開口    ２８ａ……第二の容器側開口    ２９ａ、２９ｃ……第一の容器側内筒部    ３０ａ……第二の容器側内筒部    ３１ａ……第一の容器側外筒部    ３２ａ……第二の容器側外筒部    ３３ａ、３３ｃ……第一の延設部    ３４ａ……第二の延設部    ３５ａ、３５ｃ……第一の切り欠き    ３６ａ……第二の切り欠き  ４０ａ……端子    ５０ａ……蓋容器    ５１ａ、５１ｃ……天板    ５３ａ、５３ｃ……蓋側内筒部    ５４ａ、５４ｃ……蓋側外筒部    ５５ａ……蓋側最外筒部    ６０……嵌合体    ７０ａ、７０ｂ、７０ｃ……Ｅ字型コア    ７１ａ、７１ｂ……第一の外周軸    ７２ａ、７２ｂ……端軸    ７３ａ、７３ｂ……中央軸    ７４ａ、７４ｂ……共通軸    ７５ａ、７５ｂ、７５ｃ……第二の外周軸    ７６……Ｉ字型コア    ７９ａ、７９ｂ、７９ｃ……コア    ８０……トランス      ９０……チョークコイル
【図１】
2010245453.tif 000003
【図２】
2010245453.tif 000004
【図３】
2010245453.tif 000005
【図４】
2010245453.tif 000006
【図５】
2010245453.tif 000007
【図６】
2010245453.tif 000008
【図７】
2010245453.tif 000009
【図８】
2010245453.tif 000010
【図９】
2010245453.tif 000011
【図１０】
2010245453.tif 000012
【図１１】
2010245453.tif 000013
【図１２】
2010245453.tif 000014
【図１３】
2010245453.tif 000015
【図１４】
2010245453.tif 000016
【図１５】
2010245453.tif 000017
【図１６】
2010245453.tif 000018
【図１７】
2010245453.tif 000019